(57)【要約】【課題】多機能な光学読取装置を提供する。【解決手段】光学読取装置１１０は、同一構造を有する２つの光学読取手段１１２から構成されている。そして、読取り面８４を所定の間隙を空けて対向させるとともに、光源部８０を読み取り幅方向の異なる一端部に配置されている。一方の前記光学読取手段１１２の前記光源部８０は、所定の光を時分割で発光し、他方の前記光学読取手段１１２の無彩色の反射板９０は、一方の前記光学読取手段１１２の導光板８２より照射された光を反射し、一方の前記光学読取手段１１２の光電変換素子８９は、前記反射板９０で反射された反射光を光電変換するように配置されている。【選択図】図５
2011244243.tif 000002
【特許請求の範囲】
【請求項１】
搬送手段によって搬送される記録媒体の面に記録された情報を光学的に読み取る光学読取手段であって、
読み取り幅方向の一端部に配置される光源部と、
読み取り幅方向に前記光源部の光を伝導して読取り面側に照射する導光板と、
前記導光板から照射され前記記録媒体の面で反射される反射光を光電変換する光電変換素子と、
前記導光板に沿って前記読取り面側に設けられた無彩色の反射板と、を備えたことを特徴とする光学読取手段。
【請求項２】
前記反射板は、無彩色である灰色に形成され、前記導光板より照射される光に対して２０％から６０％の反射率を有することを特徴とする請求項１に記載の光学読取手段。
【請求項３】
第１光学読取手段と第２光学読取手段として、請求項１または２に記載の光学読取手段を備え、
前記読取り面を所定の間隙を空けて対向させるとともに、前記光源部を読み取り幅方向の異なる一端部に配置することを特徴とする光学読取装置。
【請求項４】
前記第１光学読取手段および前記第２光学読取手段の一方の前記光学読取手段の前記光源部は、ＲＧＢの３色の光、赤外光、紫外光を単独、もしくは複数時分割で発光し、
他方の前記光学読取手段の前記無彩色の前記反射板は、一方の前記光学読取手段の前記導光板より照射された光を反射し、
一方の前記光学読取手段の前記光電変換素子は、前記反射板で反射された反射光を光電変換するように配置されていることを特徴とする請求項３に記載の光学読取装置。
【請求項５】
前記反射板は、前記無彩色である灰色に形成され、前記導光板より照射されたＲＧＢ３色の光、赤外光、紫外光に対して２０％から６０％の反射率を有することを特徴とする請求項３または４に記載の光学読取装置。
【請求項６】
少なくとも、記録媒体を搬送する搬送手段と、
搬送される前記記録媒体に情報を記録する記録部と、
請求項３乃至５のいずれか一項に記載の光学読取装置と、を備え、
前記搬送手段によって搬送される前記記録媒体および／または前記光学読取装置の一方の前記光学読取手段の前記反射板に対して、他方の前記光学読取手段から光を発光し、
他方の前記光学読取手段の前記光電変換素子で、前記記録媒体および／または前記反射板で反射された反射光を光電変換して電気信号を得ることを特徴とする複合処理装置。
【請求項７】
前記光学読取手段の前記光電変換素子ごとに得られた前記電気信号を比較することによって、前記搬送手段で搬送される前記記録媒体のサイズもしくは搬送状態を検出することを特徴とする請求項６に記載の複合処理装置。
【請求項８】
前記光学読取手段の前記光電変換素子ごとに得られた前記電気信号を比較することによって、前記光学読取装置および／または前記光学読取手段の不具合を検出することを特徴とする請求項６に記載の複合処理装置。
【発明の詳細な説明】
【技術分野】
【０００１】
本発明は、搬送される記録媒体の面に記録された情報を光学的に読み取る光学読取手段、光学読取装置、および、これらを備えた複合処理装置に関する。
【背景技術】
【０００２】
商取引等において、記録媒体を搬送する搬送手段と、搬送される記録媒体に文字等の情報を記録する記録部と、記録媒体に既に記録されている情報または記録された情報を読み取る光学読取装置とを備える複合処理装置が用いられている。この種の複合処理装置では、小切手や伝票等様々な種類やサイズの記録媒体が使用される。複合処理装置では、異なる種類やサイズ（幅）の記録媒体を搬送するため、搬送時に記録媒体が斜めに搬送されてしまうことがあり得る。また、記録媒体の適正な位置に情報を記録するため、記録媒体のサイズ（幅）を検知する必要がある。
【０００３】
そのため、記録媒体の搬送経路内に進出する進出位置と搬送経路から退避する退避位置とに移動可能な整列用部材を備え、この整列用部材に記録媒体の先端を当接させて記録媒体の整列を行う記録装置が提案されている。この記録装置では、整列用部材で記録媒体が整列しているかを判別するため、整列用部材の上流側に複数の光学式（光透過形）の媒体検知センサーを備え、これら媒体検知センサーの検知結果に基づいて、記録媒体が整列されているか否かを判別する。さらには、搬送経路に複数の光学式（光透過形）の媒体幅検出センサーを所定の間隔で配設して、いずれの媒体幅検出センサーがオンになるか否かによって、記録媒体の幅、すなわち記録媒体のサイズを検出している（例えば、特許文献１参照）。
【０００４】
また、光学読取装置では、装置全体をコンパクトにするためにＣＩＳ（Contact Image Sensor）を用い、搬送される記録媒体の裏表の２面にＣＩＳを配置して記録媒体の両面の画像を同時に読み取るものが提案されている（例えば、特許文献２参照）。
【先行技術文献】
【特許文献】
【０００５】
【特許文献１】特開平９−３９３２２号公報
【特許文献２】特開２００６−１４０９０２号公報
【発明の概要】
【発明が解決しようとする課題】
【０００６】
上述の記録装置では、整列用部材の上流側に複数の媒体検知センサーを備えるとともに、搬送経路内の幅方向に複数の媒体幅検出センサーを備えている。これらのセンサーは、一般的な記録媒体を想定して、所定の間隔で配設されている。そのため、通常と異なるサイズの記録媒体が使用された場合、サイズを正確に検出できない虞がある。また、数多くのセンサーを配置するためスペースが必要になり装置全体が大型になってしまう。複合処理装置は、記録装置以外にも光学読取装置等を備える。そのため、複合処理装置全体の小型化が困難であるという課題があった。
【課題を解決するための手段】
【０００７】
本発明は、上述の課題の少なくとも一部を解決するためになされたものであり、以下の形態または適用例として実現することが可能である。
【０００８】
（適用例１）搬送手段によって搬送される記録媒体の面に記録された情報を光学的に読み取る光学読取手段であって、読み取り幅方向の一端部に配置される光源部と、読み取り幅方向に前記光源部の光を伝導して読取り面側に照射する導光板と、前記導光板から照射され前記記録媒体の面で反射される反射光を光電変換する光電変換素子と、前記導光板に沿って前記読取り面側に設けられた無彩色の反射板と、を備えたことを特徴とする光学読取手段。
【０００９】
（適用例２）前記反射板は、無彩色である灰色に形成され、前記導光板より照射される光に対して２０％から６０％の反射率を有することを特徴とする上記の光学読取手段。
【００１０】
（適用例３）第１光学読取手段と第２光学読取手段として、上記の光学読取手段を備え、前記読取り面を所定の間隙を空けて対向させるとともに、前記光源部を読み取り幅方向の異なる一端部に配置することを特徴とする光学読取装置。
【００１１】
（適用例４）前記第１光学読取手段および前記第２光学読取手段の一方の前記光学読取手段の前記光源部は、ＲＧＢの３色の光、赤外光、紫外光を単独、もしくは複数時分割で発光し、他方の前記光学読取手段の前記無彩色の前記反射板は、一方の前記光学読取手段の前記導光板より照射された光を反射し、一方の前記光学読取手段の前記光電変換素子は、前記反射板で反射された反射光を光電変換するように配置されていることを特徴とする上記の光学読取装置。
【００１２】
（適用例５）前記反射板は、前記無彩色である灰色に形成され、前記導光板より照射されたＲＧＢ３色の光、赤外光、紫外光に対して２０％から６０％の反射率を有することを特徴とする上記の光学読取装置。
【００１３】
これらの構成によれば、２つの光学読取手段を有する光学読取装置は、互いの読取り面を対向させるとともに、１８０度回転した状態で配置される。そして、一方の光学読取手段から照射される光は、読取り面間を搬送される記録媒体および／または他方の光学読取手段の反射板に入射し反射される。反射された光は読取方向に配列された光電変換素子に入光し光電変換素子ごとに所定の出力の電気信号に変換される。
【００１４】
反射板は入射する光に対して２０％から６０％の反射率を有する無彩色である灰色に形成されている。記録媒体の面の反射率は、一般に７０％以上である。そのため、記録媒体の有無によって、光電変換素子から出力される電気信号の出力が異なる。すなわち、電気信号の出力を比較することによって、その光電変換素子が対応する位置に記録媒体があるか否か判断することができる。光電変換素子は読取方向に配列されている。従って、光電変換素子の出力の変化や、同一範囲の出力の光電変換素子が配列されている範囲を調査することによって、搬送される記録媒体のサイズ（幅）や搬送状態を知ることができる。また、反射板の反射率は既知であるため、光電変換素子の出力を調査することによって光学読取手段を構成する部品要素の不具合を検出することができる。
【００１５】
（適用例６）少なくとも、記録媒体を搬送する搬送手段と、搬送される前記記録媒体に情報を記録する記録部と、上記の光学読取装置と、を備え、前記搬送手段によって搬送される前記記録媒体および／または前記光学読取装置の一方の前記光学読取手段の前記反射板に対して、他方の前記光学読取手段から光を発光し、他方の前記光学読取手段の前記光電変換素子で、前記記録媒体および／または前記反射板で反射された反射光を光電変換して電気信号を得ることを特徴とする複合処理装置。
【００１６】
（適用例７）前記光学読取手段の前記光電変換素子ごとに得られた前記電気信号を比較することによって、前記搬送手段で搬送される前記記録媒体のサイズもしくは搬送状態を検出することを特徴とする上記の複合処理装置。
【００１７】
（適用例８）前記光学読取手段の前記光電変換素子ごとに得られた前記電気信号を比較することによって、前記光学読取装置および／または前記光学読取手段の不具合を検出することを特徴とする上記の複合処理装置。
【００１８】
これらの構成によれば、複合処理装置は、光学読取装置によって搬送される記録媒体のサイズ（幅）や搬送状態、および光学読取手段を構成する部品要素の不具合を検出することができる。すなわち、記録媒体のサイズ（幅）や搬送状態、および光学読取手段の部品要素の不具合を検出ためのセンサーや部品を専用に設ける必要がなくなる。そのため、スペース効率のよい小型かつ信頼性の高い複合処理装置を提供することができる。
【図面の簡単な説明】
【００１９】
【図１】複合処理装置としてのドットインパクトプリンターの外観斜視図。
【図２】ドットインパクトプリンターの断面図。
【図３】ドットインパクトプリンターを説明する図。
【図４】光学読取手段を説明する図。
【図５】光学読取装置を説明する図。
【図６】ドットインパクトプリンターの機能的構成を示すブロック図。
【図７】ＣＣＤユニットにおける出力信号と反射板の反射率の関係を示す図。
【図８】記録媒体の検出方法を説明する図。
【発明を実施するための形態】
【００２０】
以下、本実施形態を、図面を参照して説明する。なお、以下の説明で参照する図面では、説明および図示の便宜上、部材ないし部分の縦横の縮尺を実際のものとは異なるように表す場合がある。
【００２１】
（複合処理装置について）
まず、複合処理装置としてドットインパクトプリンターを例にとり図１〜３を参照して説明する。図１は、本実施形態に係る複合処理装置としてのドットインパクトプリンターの外観を示す正面斜視図である。図２は、ドットインパクトプリンターの側断面図である。図３は、ドットインパクトプリンターを説明する図であり、詳しくはドットインパクトプリンターの下本体部を示す図である。図１〜３に示すＸ方向は、ドットインパクトプリンターで情報が記録される記録媒体の幅方向を示し、Ｙ方向は、記録媒体が搬送される搬送方向を示し、Ｚ方向は、Ｘ方向およびＹ方向と直交する方向を示す。
【００２２】
図１および図２に示すように、ドットインパクトプリンター１０は、少なくとも、媒体搬送手段１００と、記録手段２０と、磁気読書き手段２９と、光学読取装置１１０と、プリンター本体１１と、外装ケース７０と、を備える。ドットインパクトプリンター１０は、媒体搬送手段１００によって搬送される記録媒体Ｓに対して、記録手段２０が有する記録ヘッド１８の複数の記録ワイヤーを、リボンカートリッジ（図示略）から繰り出したインクリボン（図示略）を介して押し付け、記録媒体Ｓの記録面上にドットを形成することにより、文字を含む情報を描画して記録するものである。
【００２３】
ドットインパクトプリンター１０で使用される記録媒体Ｓとしては、所定長さに切断されたカット用紙と、複数枚が連接された連続用紙とがある。カット用紙としては、例えば単票紙や単票複写紙などの他、通帳や葉書、封筒などがあり、連続用紙には連続複写紙を含む。本実施形態では、記録媒体Ｓとして、例えば、金融機関等が発行する小切手または手形（以下、総称して小切手という）が使用される場合を例に挙げて説明する。
【００２４】
この小切手は、磁気インクによって、その表面の一部の領域に使用者の口座番号や小切手のシリアル番号等のＭＩＣＲ（Magnetic Ink Character Recognition）情報が印刷された単票用紙である。また、ドットインパクトプリンター１０では、記録媒体Ｓとして、小切手だけではなく通帳も適用され得る。ここで通帳とは、複数枚の記録用紙が綴じられた冊子形態となっており、この冊子を開いた内側の面が記録面となっている。通帳の裏表紙に相当する面の後部には、磁気ストライプが設けられている。ＭＩＣＲ情報や磁気ストライプ情報は、後述する磁気読書き手段２９で読み書きされる。
【００２５】
従来、例えば小切手が商店等で使用された場合は、現物の小切手を銀行等に輸送して処理することが一般であった。近年、小切手に既に印刷された情報もしくは記録手段２０で印刷された情報等を画像データとして、商店、受入銀行および支払銀行間で送受信して電子的な決済を行う方法が用いられている。小切手に既に印刷された情報もしくは記録手段２０で印刷された情報等は、後述する光学読取装置１１０で読み取られ画像データに変換される。
【００２６】
（ドットインパクトプリンターの構成について）
ここで、ドットインパクトプリンター１０の詳細について説明する。図１に示すように、ドットインパクトプリンター１０は、外装ケース７０として、上部カバー１２、上部ケース１３および下部ケース１４を備える。外装ケース７０の上部ケース１３および下部ケース１４の図１中前面には、記録媒体Ｓを挿入あるいは排出する手差口１５が開口している。この手差口１５が開口した側、すなわち図２中Ｙ方向に沿って左側をフロント（前）側としＹ方向に沿って右側をリア（後）側とする。
【００２７】
図２および図３に示すように、ドットインパクトプリンター１０は、上述の外装ケース７０に覆われるプリンター本体１１を有している。プリンター本体１１は、図３に示す下本体部１１Ａと、この下本体部１１Ａの後端部に軸１１Ｃで支持される上本体部１１Ｂとを備えている。上本体部１１Ｂは、上本体部１１Ｂの左側面に設置されている開閉レバー（図示略）の操作によって回転され、プリンター本体１１の内部が露出される。プリンター本体１１は、ベースフレーム１６と、このベースフレーム１６の両端にそれぞれ立設して固定される右サイドフレーム１７Ａおよび左サイドフレーム１７Ｂとを備える。右サイドフレーム１７Ａおよび左サイドフレーム１７Ｂの外側に、上本体部１１Ｂの両サイドフレーム（図３中図示略）があり、その間には、キャリッジガイド軸３１がＸ方向に沿って架け渡されるとともに、右サイドフレーム１７Ａと左サイドフレーム１７Ｂとの間に平坦面形状の前方媒体案内２４および後方媒体案内２５が固定して設けられる。
【００２８】
（記録手段について）
次いで、ドットインパクトプリンター１０の各構成について順次説明する。まず、記録手段２０について説明する。図２に示すように、記録手段２０は、少なくとも、記録ヘッド１８、プラテン２１およびキャリッジ１９を有している。プラテン２１は、平面部を含む長矩形形状に形成され、上述の前方媒体案内２４と後方媒体案内２５との間にＸ方向に沿って配置されている。このプラテン２１のＺ方向上方には、プラテン２１に対向するように記録ヘッド１８が配置されている。記録ヘッド１８は、キャリッジガイド軸３１に摺動自在に挿通されるキャリッジ１９に搭載されている。キャリッジ１９は、当該キャリッジ１９を駆動するキャリッジ駆動モーター５６（図６参照）の正転、または逆転により、タイミングベルト（図示略）を介して駆動され、キャリッジガイド軸３１に案内されてＸ方向に往復移動される。キャリッジ１９の移動（走査）範囲は、上本体部１１Ｂの両サイドフレームの間である。
【００２９】
キャリッジ１９に搭載される記録ヘッド１８は、キャリッジ１９とともにＸ方向に走行される間に、プラテン２１に対向するワイヤー突出部（図示略）から記録ワイヤーをＺ方向に突出させてインクリボンを介して記録媒体Ｓに打ち当てる。このように、インクリボンのインクを、プラテン２１と記録ヘッド１８との間をＹ方向に搬送される記録媒体Ｓに付着させて、記録媒体Ｓに文字を含む画像を記録する。このインクリボンは、上記の本体フレーム、またはキャリッジ１９に装着されるリボンカートリッジ（図示略）内に折り畳まれて収納され、キャリッジ１９の走査に伴って繰り出される。
【００３０】
プラテン２１は、両端が付勢ばね５５により記録ヘッド１８に向けてＺ方向に付勢されるように弾性支持されている。付勢ばね５５は圧縮コイルばねであり、この付勢ばね５５の付勢力により、記録ヘッド１８の記録動作時における記録ワイヤーの突出力が支持される。プラテン２１は、記録媒体Ｓの搬送中にこの記録媒体Ｓの厚さが変化した場合、またはプリンター本体１１に厚さの異なる記録媒体Ｓが搬入された場合に、付勢ばね５５の付勢力に抗して、記録ヘッド１８の先端により押圧されて記録ヘッド１８から離れる方向に移動する。これにより、記録媒体Ｓの厚さにかかわらず、記録ヘッド１８の先端と記録媒体Ｓの記録面との間のギャップが一定に確保される。
【００３１】
（媒体搬送手段について）
次いで、媒体搬送手段１００について説明する。図２および図３に示すように、媒体搬送手段１００は、プラテン２１、第１駆動ローラー２２Ａ、第１従動ローラー２２Ｂ、第２駆動ローラー２３Ａ、第２従動ローラー２３Ｂ、第３駆動ローラー１２４Ａ、第３従動ローラー１２４Ｂ、前方媒体案内２４、後方媒体案内２５、媒体搬送モーター２６および駆動輪列部２７を備えて構成されている。また、本構成では、前方媒体案内２４および後方媒体案内２５に沿って、図２中Ｙ方向に記録媒体Ｓが搬送される搬送経路Ｐが形成されている。
【００３２】
本構成では、第１駆動ローラー２２Ａ、第１従動ローラー２２Ｂは、プラテン２１および記録ヘッド１８に対してプリンター本体１１のフロント側に配置される。第２駆動ローラー２３Ａ、第２従動ローラー２３Ｂおよび第３駆動ローラー１２４Ａ、第３従動ローラー１２４Ｂは、プラテン２１および記録ヘッド１８に対してプリンター本体１１のリア側にＹ方向に沿って順次配置されている。
【００３３】
第１駆動ローラー２２Ａと第１従動ローラー２２Ｂとは、Ｚ方向に配置されて対をなし、第２駆動ローラー２３Ａと第２従動ローラー２３Ｂとは、Ｚ方向に配置されて対をなし、第３駆動ローラー１２４Ａと第３従動ローラー１２４Ｂとは、Ｚ方向に配置されて対をなす。第１駆動ローラー２２Ａ、第２駆動ローラー２３Ａおよび第３駆動ローラー１２４Ａは、媒体搬送モーター２６および駆動輪列部２７によって回転駆動される駆動ローラーである。第１従動ローラー２２Ｂ、第２従動ローラー２３Ｂおよび第３従動ローラー１２４Ｂは、それぞれ第１駆動ローラー２２Ａ、第２駆動ローラー２３Ａ、および、第３駆動ローラー１２４Ａ側に所定の押圧力でばね４７Ａ，４７Ｂ，４７Ｃによりばね付勢されている従動ローラーである。これによって、駆動ローラーの駆動によって従動ローラーを回転させ、双方に挟持される記録媒体Ｓを搬送する。
【００３４】
図３に示すように、駆動輪列部２７は、右サイドフレーム１７Ａの外側に配置される。この駆動輪列部２７は、正転、または逆転可能な媒体搬送モーター２６の駆動軸に回転一体に固定されたモーターピニオン５１を備える。このモーターピニオン５１からの駆動力が、減速ギア５２を介して第２駆動ローラー２３Ａの第２ローラー軸３３に取り付けられた第２駆動ギア５３Ｂへ伝達され、更に、この第２駆動ギア５３Ｂから中間ギア５４を介して第１駆動ローラー２２Ａの第１ローラー軸３２に取り付けられた第１駆動ギア５３Ａに伝達される。
【００３５】
また、第２駆動ローラー２３Ａの第２ローラー軸３３の回転力が、例えば、駆動ベルト（図示略）によって第３駆動ローラー１２４Ａの第３ローラー軸１３４に伝達される。これにより、図３に示す第１駆動ローラー２２Ａ、第２駆動ローラー２３Ａ、および、第３駆動ローラー１２４Ａが同一方向に回転して、記録媒体Ｓをプリンター本体１１内に搬送可能とする。つまり、図３に示す第１駆動ローラー２２Ａ、第２駆動ローラー２３Ａ、および、第３駆動ローラー１２４Ａは、媒体搬送モーター２６が正転している場合、副走査方向に沿って、図２中符号Ａで示すようにプリンター本体１１内に記録媒体Ｓを搬送し、媒体搬送モーター２６が逆転している場合、図２中符号Ｂで示すように、プリンター本体１１内から排出する方向に記録媒体Ｓを搬送する。
【００３６】
また、プリンター本体１１は、搬送経路Ｐ内に媒体搬送手段１００で搬送される記録媒体Ｓの先端が当接されてこの記録媒体Ｓを整列させる整列機構２８を備えている。整列機構２８は、記録ヘッド１８による記録媒体Ｓへの記録や、後述する光学読取装置１１０による記録媒体Ｓの表面の読み取りを行う前に、この記録媒体Ｓを整列するものである。整列機構２８は、第１駆動ローラー２２Ａおよび第１従動ローラー２２Ｂと記録ヘッド１８およびプラテン２１との間に設けられている。整列機構２８は、搬送経路Ｐ内に進出する進出位置と搬送経路Ｐから退避する退避位置とに移動可能な複数の整列板（整列用部材）３８と、この整列板３８を駆動する整列板モーター６５（図６参照）とを備える。複数の整列板３８は、図３に示すように、搬送経路Ｐの幅方向（Ｘ方向）に並設されており、これら整列板３８に記録媒体Ｓの先端部を当接させることで記録媒体Ｓの向きを変え、この記録媒体Ｓを整列することができる。
【００３７】
（磁気読書き手段について）
次いで、磁気読書き手段２９について説明する。図２に示すように、磁気読書き手段２９は、外装ケース７０の記録媒体Ｓを挿入あるいは排出する手差口１５近傍に設けられている。磁気読書き手段２９は、例えば、媒体搬送手段１００によって搬送される小切手に設けられたＭＩＣＲ情報の読み取りや、同じく、媒体搬送手段１００によって搬送される通帳に設けられた磁気ストライプに対して磁気情報の読み取り、または書き込みを行う役割を担う。また、磁気読書き手段２９の近傍に、磁気ヘッド３４がＭＩＣＲ情報の読み取りを含む磁気情報処理の実行時に、記録媒体Ｓの浮き上がりを抑制すべく、記録媒体Ｓを上から押える媒体押え部３０を有している。
【００３８】
（光学読取手段および光学読取装置について）
ここで、本発明の実施例である光学読取装置１１０の構成について説明する。図２に示すように、光学読取装置１１０は、搬送経路Ｐ上の第２駆動ローラー２３Ａ、第２従動ローラー２３Ｂと、第３駆動ローラー１２４Ａ、第３従動ローラー１２４Ｂとの間に配置される。光学読取装置１１０は、媒体搬送手段１００によって搬送経路Ｐを搬送される記録媒体Ｓの面に記載されている情報を読み取る役割と、記録媒体Ｓのサイズ（幅）の検出と記録媒体Ｓの挿入状態の検知の役割を担う。また、光学読取装置１１０は、光学読取手段の光源部や読取り部の劣化や不具合を検出する役割をも担う。本実施例では、光学読取装置１１０は、第１光学読取手段１１２ａと第２光学読取手段１１２ｂとを備える。
【００３９】
（光学読取手段について）
まず、光学読取手段について図４を参照して説明する。図４は、光学読取手段を説明する図であり、（ａ）は、光学読取手段の断面図であり、（ｂ）は、光学読取手段を読取面から見た平面図である。図４に示すＸ方向、Ｙ方向およびＺ方向は、図１〜３に示すＸ方向、Ｙ方向およびＺ方向と同一な方向を示す。なお、光学読取手段としての第１光学読取手段１１２ａと第２光学読取手段１１２ｂとは同一な構成、構造であるため、以降、光学読取手段１１２として説明する。
【００４０】
図４（ａ），（ｂ）に示すように、光学読取手段１１２は、長尺の長矩形形状に形成され、光源部８０と、導光板８２と、読取り面８４と、読取り部８５と、反射板９０と、これらを収容する上面部分が開口された長尺の箱形状のケース８８とを備える。光源部８０は、Ｒ（レッド）色の光を発光する赤色ＬＥＤと、Ｇ（グリーン）色の光を発光する緑色ＬＥＤと、Ｂ（ブルー）色の光を発光する青色ＬＥＤとを備える。また、光源部８０は、赤外光（Ｉｒ）、紫外光（ＵＶ）の光を発光するようにしてもよい。図４（ｂ）に示すように、光源部８０は、Ｘ方向に発光可能なように発光部をほぼ同一の範囲としてケース８８のＸ方向一端側に配置されている。
【００４１】
導光板８２は、例えば、アクリル等の光を導光可能な材料が適用され、断面に一部面取り部８３が形成された矩形形状で、平面が長尺の長方形形状に形成されている。導光板８２の長手方向の長さは、読み取られる記録媒体Ｓの幅を確保するように十分な長さを有している。導光板８２は、導光板カバー９１に少なくとも面取り部８３を除く３辺をカバーされ、一端部側を光源部８０の発光部近傍に配置される。導光板８２は、ケース８８の上面側近くに配置され、面取り部８３が斜め上方向を向くように配置される。反射板９０は、長方形形状の平板状に形成され、無彩色である灰色に着色されている。反射板９０は、導光板８２および導光板カバー９１のＺ方向上方に配置される。
【００４２】
読取り面８４は、ガラス等の透明材料が適用され、平面視で長尺の長方形形状に形成され、ケース８８の図４（ａ）中Ｚ方向上面の開口部に嵌合される。読取り面８４の長手方向の長さは、読み取られる記録媒体Ｓの幅を確保するように十分な長さを有している。
【００４３】
読取り部８５は、レンズアレイ８６と、光電変換素子８９（読取素子）を構成要素とするＣＣＤユニット８７とから構成されている。レンズアレイ８６は、例えば、屈折率分布型光ファイバーを所定の長さ（Ｚ方向）にしてＸ方向に配列して形成される。Ｘ方向の長さは、読み取られる記録媒体Ｓの幅を確保するように十分な長さを有している。Ｙ方向の幅は、必要に応じて列数を増加すればよい。ＣＣＤユニット８７は、レンズアレイ８６を通過した光を受光できるようにレンズアレイ８６のＺ方向下部に、Ｘ方向に延在するように配置されている。上述の読取り部８５は、Ｘ方向にいわゆるラインセンサーの形態をとっている。
【００４４】
上述の光学読取手段１１２を用いて記録媒体Ｓを読み取る場合は、記録媒体Ｓを読取り面８４に沿って搬送して、光源部８０の各ＬＥＤを１ライン毎に時分割で点灯させる。光源部８０で発光した各光は、導光板８２の一端側から入光し、導光板８２の内部を拡散進行する。導光板８２の内部を進行した光は、面取り部８３から斜め上方に照射される。照射された光は、読取り面８４を通過して記録媒体Ｓの面で反射され、読取り部８５のレンズアレイ８６を介して画素毎にＣＣＤユニット８７で集光される。集光された光は、ＣＣＤユニット８７を構成する光電変換素子８９で電気信号に変換される。光学読取手段１１２は、記録媒体Ｓの１ラインの読み取りが終了すると、媒体搬送手段１００によって記録媒体ＳをＹ方向に微小距離移動させ次のラインを読み取る。なお、反射板９０については後述する。
【００４５】
（光学読取装置について）
次いで、光学読取装置について図５を参照して説明する。図５は、光学読取装置を説明する図である。なお、図５に示すＹ方向およびＺ方向は、図１〜３に示すＹ方向およびＺ方向と同一な方向を示す。なお、第１光学読取手段１１２ａの構成物については、各構成物の符号の末尾にａを付し、第２光学読取手段１１２ｂの構成物については、各構成物の符号の末尾にｂを付して説明する。
【００４６】
図５に示すように、光学読取装置１１０は、上述の構成を有する第１光学読取手段１１２ａと第２光学読取手段１１２ｂとを備えている。第１光学読取手段１１２ａと第２光学読取手段１１２ｂとは、記録媒体Ｓが搬送される搬送経路Ｐを挟んで読取り面８４ａ，８４ｂが対向するように配置されている。さらに、第１光学読取手段１１２ａと第２光学読取手段１１２ｂとは、光源部８０ａ，８０ｂがＸ方向において異なる端部側になるように配置されている。すなわち、Ｚ方向において、第１光学読取手段１１２ａの導光板８２ａと第２光学読取手段１１２ｂの読取り部８５ｂ（図５参照）とが搬送経路Ｐを挟んで対向し、第１光学読取手段１１２ａの読取り部８５ａと第２光学読取手段１１２ｂの導光板８２ｂとが搬送経路Ｐを挟んで対向する位置関係で配置されている。
【００４７】
上述の構成を有する光学読取装置１１０は、第１光学読取手段１１２ａおよび第２光学読取手段１１２ｂごとに、読取り面８４ａ，８４ｂに沿って搬送される記録媒体Ｓの表裏両面に対して、１ラインごとに光源部８０ａ，８０ｂの各ＬＥＤを単独もしくは複数時分割で点灯させ、点灯した光を導光板８２ａ，８２ｂを介して均一に記録媒体Ｓの両面に対し照射する。光学読取装置１１０は、記録媒体Ｓの表裏両面で反射した光をレンズアレイ８６ａ，８６ｂで画素毎にＣＣＤユニット８７ａ，８７ｂに集光し、ＣＣＤユニット８７ａ，８７ｂを構成する光電変換素子８９でその光を電気信号に変換する。光学読取装置１１０は、記録媒体Ｓの表裏１ラインの読み取りが終了すると、記録媒体ＳをＹ方向に微小距離移動させ次のラインを読み取る。このようにして、光学読取装置１１０は、搬送経路Ｐを搬送される記録媒体Ｓの表裏両面を同時に読み取ることができる。なお、記録媒体Ｓのサイズ（幅）の検出、記録媒体Ｓの挿入状態の検知および光源部８０や読取り部８５の劣化や不具合を検出する役割については後述する。
【００４８】
（ドットインパクトプリンターの制御について）
ここで、ドットインパクトプリンターの制御について、図６を参照して簡単に説明する図６は、ドットインパクトプリンターの機能的構成を示すブロック図である。図６に示すように、ドットインパクトプリンター１０は、制御プログラムに基づいてドットインパクトプリンター１０を制御するＣＰＵ（制御手段）４０と、ＣＰＵ４０により実行される制御プラグラムや処理されるデータ等を記憶したＥＥＰＲＯＭ４２と、ＣＰＵ４０によりＥＥＰＲＯＭ４２から読み出された制御プログラムやデータ等を一時的に記憶するＲＡＭ４１と、ホストコンピューター２００との間で情報を送受信する際のデータ形式を変換するインターフェース（Ｉ／Ｆ）４３を備えている。
【００４９】
ＣＰＵ４０には、ゲートアレイ（Ｇ／Ａ）４５を介して、記録ヘッド１８および磁気ヘッド３４が接続されている。ゲートアレイ４５は、ＣＰＵ４０の制御に従って記録ヘッド１８に駆動電流を出力して、記録ワイヤーを突出させる。また、ゲートアレイ４５は、ＣＰＵ４０の制御に従って、磁気情報の読み取り時には、磁気ヘッド３４に対して読み取り用電流を出力する一方、磁気ヘッド３４から入力される信号電流をデジタル化してＣＰＵ４０に出力する。
【００５０】
また、ゲートアレイ４５には、光学読取装置１１０の第１光学読取手段１１２ａと第２光学読取手段１１２ｂとが接続されている。第１光学読取手段１１２ａと第２光学読取手段１１２ｂで読み取られた情報はゲートアレイ４５に供給される。ゲートアレイ４５は、供給されたアナログ電圧を量子化してデジタルデータとしＣＰＵ４０に出力する。
【００５１】
さらに、ゲートアレイ４５には、モータードライバー４８が接続されている。モータードライバー４８は、媒体搬送モーター２６、キャリッジ駆動モーター５６、磁気ヘッド駆動モーター６４および整列板モーター６５に接続され、これら各モーターに駆動電流や駆動パルスを供給して、これらのモーターを動作させる。ＣＰＵ４０は、ＥＥＰＲＯＭ４２に格納された制御プログラムに基づいて、ゲートアレイ４５を介して記録ヘッド１８やモータードライバー４８を制御する。
【００５２】
上述の構成を有するドットインパクトプリンター１０は、例えば、銀行等の金融機関の窓口に配置され、記録媒体Ｓとしての小切手の決済等する際に使用されている。具体的には、記録媒体Ｓが図１に示す手差口１５から挿入されると、この記録媒体Ｓは、媒体搬送手段によって図２に示す矢印Ａ方向搬送される。続いて、磁気読書き手段２９の磁気ヘッド３４によって記録媒体ＳのＭＩＣＲ情報に対して磁気的な情報の読み取りを行う。磁気ヘッド３４によって読み取られた情報は、ゲートアレイ４５によってデジタル化され、ＣＰＵ４０に出力される。ＣＰＵ４０は、ゲートアレイ４５から供給されたデータに基づいて、文字情報を解析し、テキスト情報に変換する。得られたテキスト情報はホストコンピューター２００に送信される。
【００５３】
次に、記録媒体Ｓを第１光学読取手段１１２ａおよび第２光学読取手段１１２ｂの位置まで搬送させる。そして、記録媒体Ｓの上面と下面を光学的にスキャンし、得られた情報をゲートアレイ４５においてデジタルデータとしての画像データに変換し、ＣＰＵ４０に供給する。ＣＰＵ４０は、供給された上面と下面の画像データをホストコンピューター２００に送信する。ホストコンピューター２００では、現物の小切手を輸送して処理する代わりに、送信された画像データを受入銀行から支払銀行に伝送することによって電子的な決済を行う。
【００５４】
スキャン処理が終了すると、記録媒体Ｓは図２に示すプラテン２１上の記録位置まで搬送される。そして、磁気読書き手段２９で読み取られた磁気情報に基づいて、記録手段２０によって記録媒体Ｓの記録面に、例えば、この小切手が使用済みであることを示す情報を記録する。最後に、第１駆動ローラー２２Ａおよび第１従動ローラー２２Ｂによって記録媒体Ｓが矢印Ｂ方向に搬送され、記録媒体Ｓが手差口１５から排出される。
【００５５】
（光源部や読取り部の不具合検出について）
光学読取装置１１０は、光源部８０や読取り部８５の劣化や不具合を検出することができる。この検出方法について図５および図７を参照して説明する。図７は、ＣＣＤユニットにおける出力信号と反射板の反射率の関係を示す図である。なお、以降の説明では、説明を簡便にするために第１光学読取手段１１２ａを中心に説明する。
【００５６】
上述のドットインパクトプリンター１０の光学読取装置１１０では、使用に伴い光源部８０のＬＥＤや読取り部８５の光電変換素子８９が劣化し不具合が発生することがあり得る。また、読取り面８４にゴミや汚れが付着することもあり得る。このようなことが発生すると、読み取るべき情報に抜けが発生してしまう。著しい場合は情報を読み取ることができなくなってしまう。このことを防止するために、例えば、電源投入時や作業開始前に光源部８０や読取り部８５が正常に動作していることを確認することが重要になる。
【００５７】
例えば、電源投入時や作業開始前等、搬送経路Ｐ上に記録媒体Ｓがない状態で、第１光学読取手段１１２ａの光源部８０ａの各ＬＥＤを時分割で点灯させる。そして、光源部８０ａで発光した光を導光板８２ａの一端側から入光させ、導光板８２ａの面取り部８３ａから斜め方向に照射する。照射された光は、読取り面８４ａを通過して進行する。記録媒体Ｓがないため進行する光は、対向する第２光学読取手段１１２ｂの読取り面８４ｂをも通過して、第２光学読取手段１１２ｂの導光板８２ｂおよび導光板カバー９１ｂの読取り面８４ｂ側に位置する反射板９０ｂに照射される。
【００５８】
第２光学読取手段１１２ｂの反射板９０ｂに照射された光は、反射板９０ｂで反射され読取り面８４ｂおよび読取り面８４ａを通過して、第１光学読取手段１１２ａの読取り部８５ａに向かう。読取り部８５ａのレンズアレイ８６ａを介してＣＣＤユニット８７ａで集光された光は、ＣＣＤユニット８７ａを構成する光電変換素子８９で電気信号に変換される。
【００５９】
なお、このとき反射板９０ｂは、面全体が無彩色である灰色で形成されている。詳しくは、反射板９０ｂは、光源部８０ａから発光されるＲＧＢ３色、赤外光、紫外光に対して２０％以上の反射率を有する灰色で形成されている。なお、図７に示すように、この反射板９０ｂで反射され読取り部８５ａのレンズアレイ８６ａを介してＣＣＤユニット８７ａ（光電変換素子８９）に集光される光は所定の出力Ｑを有する電気信号に変換される。
【００６０】
この電気信号は図６に示すゲートアレイ４５に供給される。ゲートアレイ４５は、供給されたアナログ電圧を量子化してデータとしＣＰＵ４０に出力する。なお、このデータは光電変換素子８９ごとに出力される。ＣＰＵ４０は、供給されたデータを予め設定されている閾値と比較する。閾値以下の場合は、ＬＥＤの発光が低下しているか、光電変換素子８９が劣化もしくは破壊されているか、読取り面８４ａ，８４ｂにゴミや汚れが付着しているか等の不具合が発生していると判断して警告を発する。なお、この場合、様々な判断基準となるデータ群をＥＥＰＲＯＭ４２に格納して、それに基づいて警告を発生してホストコンピューター２００で状態や対策等を表示することが好ましい。
【００６１】
なお、上述の説明は、第１光学読取手段１１２ａを主体とした場合であるが、第２光学読取手段１１２ｂを主体とした場合も上記と同様な作業を実施する。また、反射板９０の反射率が２０％以下の場合は、ＣＣＤユニット８７ａ（光電変換素子８９）から出力される電気信号の出力Ｑが低くなり不具合を十分に認識できないことがある。そのため、反射板９０の反射率は２０％以上であることがよい。
【００６２】
（記録媒体のサイズ検出および記録媒体の挿入状態の検知について）
また、光学読取装置１１０は、上述の役割以外に記録媒体のサイズ（幅）の検出および記録媒体の挿入状態の検知を行うことができる。この検出方法について図７および図８を参照して説明する。図８は、記録媒体の検出方法を説明する図であり、（ａ）は、記録媒体Ｓが正しく挿入もしくは搬送されている場合を示す図、（ｂ）は、記録媒体Ｓが斜めに挿入もしくは搬送されている場合を示す図である。なお、以降の説明では、説明を簡便にするために第１光学読取手段１１２ａを中心に説明する。
【００６３】
電源投入時や作業開始前等、搬送経路Ｐ上に記録媒体Ｓがないとき、第１光学読取手段１１２ａは、光源部８０ａの各ＬＥＤを単独もしくは複数時分割で点灯させ、光源部８０ａで発光した光を導光板８２ａの一端側から入光させ、導光板８２ａの面取り部８３ａから斜め方向に照射する。照射された光は、読取り面８４ａを通過して進行する。記録媒体Ｓがないため進行する光は、対向する第２光学読取手段１１２ｂの読取り面８４ｂをも通過して、第２光学読取手段１１２ｂの導光板８２ｂおよび導光板カバー９１ｂの読取り面８４ｂ側に位置する反射板９０ｂに照射される。
【００６４】
第２光学読取手段１１２ｂの反射板９０ｂに照射された光は、反射板９０ｂで反射され読取り面８４ｂおよび読取り面８４ａを通過して、第１光学読取手段１１２ａの読取り部８５ａに向かう。読取り部８５ａのレンズアレイ８６ａを介してＣＣＤユニット８７ａで集光された光は、ＣＣＤユニット８７ａを構成する光電変換素子８９で電気信号に変換される。
【００６５】
なお、このとき反射板９０ｂは、面全体が無彩色である灰色で形成されている。詳しくは、反射板９０ｂは、光源部８０ａから発光されるＲＧＢ３色、赤外光、紫外光に対して６０％以下の反射率を有する灰色で形成されている。なお、図７に示すように、この反射板９０ｂで反射され読取り部８５ａのレンズアレイ８６ａを介してＣＣＤユニット８７ａの例えば図８（ａ）に示す光電変換素子８９ｊに集光される光は所定の出力Ｑを有する電気信号に変換される。この電気信号は図６に示すゲートアレイ４５に供給される。ゲートアレイ４５は、供給されたアナログ電圧を量子化してデータとしＣＰＵ４０に出力する。なお、このデータは光電変換素子８９ごとに出力される。ＣＰＵ４０は、供給されたデータを一旦基準データと設定する。
【００６６】
図８（ａ）に示すように、媒体搬送手段１００によって搬送経路Ｐ上を記録媒体Ｓが搬送され、光学読取装置１１０の第１光学読取手段１１２ａと第２光学読取手段１１２ｂと間に到達する。到達した記録媒体Ｓは、第１光学読取手段１１２ａの導光板８２ａによって光が照射され記録媒体Ｓがある範囲は記録媒体Ｓの面で光が反射する。反射された光は、読取り部８５ａのレンズアレイ８６ａを介してＣＣＤユニット８７ａで集光され、光電変換素子８９ｉにより所定の出力Ｒの電気信号に変換される。このとき、第１光学読取手段１１２ａの読取範囲において、記録媒体Ｓがない範囲は対向する第２光学読取手段１１２ｂの反射板９０ｂで光が反射する。反射された光は、読取り部８５ａのレンズアレイ８６ａを介してＣＣＤユニット８７ａで集光され、光電変換素子８９ｊにより所定の出力Ｑの電気信号に変換される。
【００６７】
一般に、記録媒体Ｓとして使用される小切手やその他の用紙は、表面に印刷されたものも含め多種類存在するが、発明者らが種々の記録媒体Ｓを調査試験した結果、表面の反射率は７０％以上であることを認めた。また、反射板９０ａ，９０ｂの表面は、反射率６０％以下の無彩色である灰色で形成されている。そのため、図７で示すグラフより電気信号は、出力Ｒ＞出力Ｑとなる。この電気信号はＸ方向に一定のピッチで整列したＣＣＤユニット８７ａの光電変換素子８９ごとに出力される。従って、出力Ｒの電気信号を出力する光電変換素子８９の範囲を調べることによって、光学読取装置１１０の第１光学読取手段１１２ａと第２光学読取手段１１２ｂとの間に到達した記録媒体ＳのＸ方向の幅を知ることができる。
【００６８】
また、記録媒体Ｓは長方形形状を呈している。従って、記録媒体Ｓが正しく挿入され直進状態で搬送されている間は、多少の誤差はあろうとも出力Ｒの電気信号を出力するＣＣＤユニット８７ａの光電変換素子８９は、記録媒体Ｓが通過するまで出力Ｒの電気信号を出力し続ける。同じく、出力Ｑの電気信号を出力するＣＣＤユニット８７ａの光電変換素子８９は、出力Ｑの電気信号を出力し続ける。
【００６９】
ところが、図８（ｂ）に示すように、記録媒体Ｓが搬送経路Ｐに斜めに挿入されたり、搬送時に斜め走行してしまうと、出力Ｒの電気信号を出力するＣＣＤユニット８７ａの光電変換素子８９の数と出力Ｑの電気信号を出力するＣＣＤユニット８７ａの光電変換素子８９の数は変化する。あるいは、出力Ｒの電気信号を出力していたＣＣＤユニット８７ａの光電変換素子８９が、途中から出力Ｑの電気信号を出力し始める。例えば、光電変換素子８９ｇと光電変換素子８９ｊとでは、出力が出力Ｑから出力Ｒに変化する時間が異なる。このことより、記録媒体Ｓの先端が斜めになっていることがわかる。また、光電変換素子８９ｊの出力は、出力Ｑから出力Ｒに変化し、光電変換素子８９ｇの出力が出力Ｒにもかかわらず、再び出力Ｑに変化する。このことより、記録媒体Ｓが斜めに搬送されていることがわかる。
【００７０】
これらの電気信号は図６に示すゲートアレイ４５に供給される。ゲートアレイ４５は、供給されたアナログ電圧を量子化してデータとしＣＰＵ４０に出力する。ＣＰＵ４０は、供給されたデータを予め設定されている変化量と比較する。変化量が一定の範囲以上である場合は、記録媒体Ｓの搬送に異常や不具合が発生したと判断して警告を発する。この場合、様々な判断基準となるデータ群をＥＥＰＲＯＭ４２に格納して、それに基づいて警告を発生してホストコンピューター２００で状態や対策等を表示することが好ましい。同時に、媒体搬送手段１００により当該記録媒体Ｓをドットインパクトプリンター１０から一旦排出することが好ましい。
【００７１】
なお、上述の説明は、第１光学読取手段１１２ａを主体とした場合であるが、第２光学読取手段１１２ｂを主体とした場合も上記と同様な動作を行う。また、上述のように、反射板９０の反射率が６０％以上の場合は、ＣＣＤユニット８７ａ（光電変換素子８９）から出力される電気信号の出力Ｑが大きくなり記録媒体Ｓの有無の判別ができないことがある。そのため、反射板９０の反射率は６０％以下であることがよい。すなわち、光源部８０や読取り部８５の不具合検出と記録媒体のサイズ検出および記録媒体の挿入状態の検知を同一の光学読取装置１１０で行うためには、反射板は、反射率２０％から６０％の無彩色である灰色で形成されている必要がある。
【００７２】
以下、本実施例の効果を記載する。
（１）上述の光学読取装置１１０は、反射率２０％から６０％である無彩色の灰色に着色された反射板９０を備える第１光学読取手段１１２ａと第２光学読取手段１１２ｂとを読取り面８４ａ，８４ｂを対向させて配置している。そのため、搬送される記録媒体Ｓの裏表両面に記載された情報を読み取ることができるという基本機能の他に、搬送される記録媒体Ｓの紙幅や搬送位置を知ることができる。併せて、ドットインパクトプリンター１０における記録媒体Ｓの挿入や搬送時の不具合、例えば斜め挿入や斜め搬送を検出することができる。そのため、記録媒体ＳのＭＩＣＲ情報の読み取り精度を向上させたり、記録媒体Ｓの正しい位置に情報を記録することや、記録媒体Ｓの搬送不良を低減させることができる。その結果、信頼性の高い複合処理装置としてのドットインパクトプリンター１０を提供することができる。
【００７３】
（２）上述の光学読取装置１１０は、読取り部８５の光電変換素子８９によって記録媒体Ｓの幅（サイズ）や位置を知ることができる。光電変換素子８９は、読取り精度を向上させるために細かいピッチで配列されている。そのため、記録媒体Ｓの幅（サイズ）や位置を精度良く知ることができる。
【００７４】
（３）上述の光学読取装置１１０は、一方の光源部８０の光を他方の反射板９０に反射させてその光を一方の読取り部８５の光電変換素子８９に集光し光電変換素子８９ごとに電気信号を出力する。この電気信号を比較調査することによって、ＬＥＤの発光が低下しているか、光電変換素子８９が劣化もしくは破壊されているか、読取り面８４にゴミや汚れが付着しているか等の不具合が発生しているか否かを判断することができる。そのため、これら不具合に対して素早く対応をとることができる。また、ドットインパクトプリンター１０での作業の前にこれらの機能の事前チェックができる。その結果、信頼性の高い複合処理装置としてのドットインパクトプリンター１０を提供することができる。
【００７５】
（４）上述の光学読取装置１１０を備える複合処理装置としてのドットインパクトプリンター１０は、光学読取手段１１２の反射板９０を反射率２０％から６０％である無彩色の灰色に着色するという簡単な構成によって、記録媒体Ｓの紙幅や搬送位置、搬送上の不具合を知ることができる。すなわち、搬送経路Ｐ内に、記録媒体Ｓの紙幅や搬送位置、搬送上の不具合を検知するための媒体検知センサーや媒体幅検出センサー等を設ける必要がない。そのため、設置スペースを低減することができ、ドットインパクトプリンター１０小型化が実現できる。
【００７６】
以上、本発明の実施例について説明したが、上記実施例に対しては、本発明の趣旨から逸脱しない範囲で様々な変形を加えることができる。本実施例では、複合処理装置としてドットインパクトプリンター１０を例に取り説明したがこれに限定されない。記録方式は、インクジェット方式であってもサーマル印字方式であってもよい。また、構成される各種装置は特に限定されない。少なくとも、上述の光学読取装置１１０を備えていればよい。また、本実施例の光学読取装置１１０の位置は、一実施例であってこれに限定されない。記録手段２０の上流側であってもよいし、磁気読書き手段２９の位置であってもよい。適用される複合処理装置の主な用途によって適正なレイアウトを選択すればよい。
【符号の説明】
【００７７】
１０…ドットインパクトプリンター、１１…プリンター本体、１６…ベースフレーム、１８…記録ヘッド、１９…キャリッジ、２１…プラテン、２９…磁気読書き手段、３４…磁気ヘッド、４０…ＣＰＵ、７０…外装ケース、８０…光源部、８２…導光板、８３…面取り部、８４…読取り面、８５…読取り部、８６…レンズアレイ、８７…ＣＣＤユニット、８８…ケース、８９…光電変換素子、９０…反射板、９１…導光板カバー、１００…媒体搬送手段、１１０…光学読取装置、１１２…光学読取手段、１１２ａ…第１光学読取手段、１１２ｂ…第２光学読取手段、Ｐ…搬送経路、Ｓ…記録媒体。
【図１】
2011244243.tif 000003
【図２】
2011244243.tif 000004
【図３】
2011244243.tif 000005
【図４】
2011244243.tif 000006
【図５】
2011244243.tif 000007
【図６】
2011244243.tif 000008
【図７】
2011244243.tif 000009
【図８】
2011244243.tif 000010